(57)【特許請求の範囲】
【請求項１】
遠赤外線エネルギーを具えたエアフィルタのフィルタコアにおいて、遠赤外線発射率が８０％以上の遠赤外線発射物質を、１〜５０％の適宜成分比率を以て、エアフィルタのフィルタコアを製造するベース材料中に混合し、加工して基材となし、さらに基材を各種内燃機の設計要求に応じて加工、成形して各種の形状、厚さを有するエアフィルタのフィルタコアとなし、各種内燃機のエアフィルタの使用に供し、
前記遠赤外線エネルギーを具えたエアフィルタのフィルタコアが、湿度を有する空気中の水分子を細微化して酸素を含む分子の自由度を増加し、混合気体中におけるオイルガスと空気の接触表面積を増大し、酸素を含む分子が容易にオイルガスと均一に混合されるようにすることにより、内燃機の原設計の混合比率を達成し、エンジンの完全燃焼を補助し、ブレーキ真空補助ポンプの真空度を高め、制動を安定、均一として運転の安全性を高めることを特徴とする、遠赤外線エネルギーを具えたエアフィルタのフィルタコア。
【請求項２】
前記基材中の遠赤外線発射物質の混合比率を２〜３０％としたことを特徴とする、請求項１に記載の遠赤外線エネルギーを具えたエアフィルタのフィルタコア。
【請求項３】
前記遠赤外線発射物質を、酸化アルミニウム（Ａｌ2 Ｏ3 ）、酸化ジルコニウム（ＺｒＯ2 ）、酸化錫（ＳｎＯ2 ）、酸化チタン（ＴｉＯ2 ）、酸化コバルト（ＣｏＯ）、酸化鉄（Ｆｅ2 Ｏ3 ）、炭化けい素（ＳｉＣ）を、１：１：１：１：１：１：１の比で混合し、並びに焼結し、研磨して形成することを特徴とする、請求項１に記載の遠赤外線エネルギーを具えたエアフィルタのフィルタコア。
【請求項４】
前記遠赤外線発射物質を、酸化アルミニウム（Ａｌ2 Ｏ3 ）、酸化ジルコニウム（ＺｒＯ2 ）、酸化錫（ＳｎＯ2 ）、酸化チタン（ＴｉＯ2 ）、酸化コバルト（ＣｏＯ）、酸化鉄（Ｆｅ2 Ｏ3 ）、炭化けい素（ＳｉＣ）を、３：３：３：１：１：２：２の比率で混合し、並びに焼結し、研磨して形成することを特徴とする、請求項１に記載の遠赤外線エネルギーを具えたエアフィルタのフィルタコア。
【請求項５】
前記基材中の遠赤外線発射物質の粒度を０．０１〜３０ミクロンとすることを特徴とする、請求項１に記載の遠赤外線エネルギーを具えたエアフィルタのフィルタコア。
【請求項６】
前記基材中のベース材料の材質を紙パルプとすることを特徴とする、請求項１に記載の遠赤外線エネルギーを具えたエアフィルタのフィルタコア。
【請求項７】
前記基材中のベース材料を単一高分子材料とすることを特徴とする、請求項１に記載の遠赤外線エネルギーを具えたエアフィルタのフィルタコア。
【請求項８】
前記基材中のベース材料を組成する単一高分子材料を、ポリエチレンとしたことを特徴とする、請求項１乃至請求項７のいずれかに記載の遠赤外線エネルギーを具えたエアフィルタのフィルタコア。
【請求項９】
前記基材中のベース材料を組成する単一高分子材料を、ポリプロピレンとしたことを特徴とする、請求項１乃至請求項７のいずれかに記載の遠赤外線エネルギーを具えたエアフィルタのフィルタコア。
【請求項１０】
前記基材中のベース材料を組成する単一高分子材料を、ポリウレタンとしたことを特徴とする、請求項１乃至請求項７のいずれかに記載の遠赤外線エネルギーを具えたエアフィルタのフィルタコア。
【請求項１１】
前記基材中のベース材料を組成する単一高分子材料を、ナイロンとしたことを特徴とする、請求項１乃至請求項７のいずれかに記載の遠赤外線エネルギーを具えたエアフィルタのフィルタコア。
【請求項１２】
前記基材中のベース材料を複合高分子材料とすることを特徴とする、請求項１に記載の遠赤外線エネルギーを具えたエアフィルタのフィルタコア。
【発明の詳細な説明】
【０００１】
【発明の属する技術分野】
本発明は遠赤外線エネルギーを具えたエアフィルタのフィルタコアに係り、特に、内燃機のエアフィルタのフィルタコアのベース材料中に高い遠赤外線発射率を有する粉末状の遠赤外線発射物質を混合し、これにより内燃機に進入して燃焼に使用される空気中に含まれる水分子クラスタを細微化し、分子自由度を増加し、燃焼効率を高めて排気ガスの排出を減らし、原設計の馬力を獲得できるようにし、機械部品の寿命を延長し、且つ有効にブレーキ効率を高め、安定させることを特徴とする、遠赤外線エネルギーを具えたエアフィルタのフィルタコアに関する。
【０００２】
【従来の技術】
従来の内燃機のエアフィルタのフィルタコアは、紙材或いは高分子ポリマーを材料とし、各種の内燃機の設計需要に応じて、各種形式に形成されて各種内燃機の使用に供される。しかしその使用時には、僅かに、空気中の相当粗い塵や不純物を濾過し、及び進入する空気の乱流を滑らかな気流とし、空気がキャブレーター、エアサイレンサ、及びバルブをとおる時に発生する騒音を減らす機能しか有しておらず、進入する空気の性質に対しては改善効果を有していなかった。
【０００３】
また、周知の真空補助ブレーキシステムは、エンジン室の燃焼効率が原設計を達成できず、即ち、エンジン室の気密度、真空度がいずれも消耗されて、入気ベンチュリー管の真空度に影響を与え、制動時に、真空補助ポンプのブレーキポンプに対する作用力は、ほとんどが、前輪と後輪制動率が７：３或いは６：４となるよう設計されているが、入気ベンチュリー管の真空度が不足するために、前輪、後輪の制動率がもとの設計の比率を達成できなくなり、このため制動時に前輪が制動効果を有しても後輪が制動機能を喪失してしまい、緊急制動時に車頭がひどく前傾下沈し、後輪が持ち上がり、後部が回り、横滑りし、制動効果が下がることがよく発生することも欠点の一つであった。
【０００４】
【発明が解決しようとする課題】
本発明は、一種の遠赤外線エネルギーを具えたエアフィルタのフィルタコアを提供することを課題とし、それは、高遠赤外線発射率を有する粉末状遠赤外線発射物質を具え、適宜粒度及び比率を以て、内燃機のエアフィルタのフィルタコアのベース材料（紙パルプ或いは高分子材料）中に混合されて、エアフィルタのフィルタコアを形成し、さらに異なる種類のエアフィルタの設計により、各種形式のエアフィルタのフィルタコアに加工され、各種内燃機の使用に供される。エアフィルタのフィルタコア中に含まれる遠赤外線発射物質の発射する遠赤外線により、内燃機に進入して燃焼に使用される空気中に含まれる水分子クラスタを細微化し、分子自由度を増加し、混合気体中のオイルガスと空気の接触の表面積を増大し、酸素含有分子をオイルガスとより均一に混合せしめ、原設計上の最良の混合比を達成し、燃焼を補助し、排気ガスの排出を減らし、原設計の馬力を獲得できるようにし、エンジン室の積炭を防止し並びに機械部品の寿命を延長し、且つ有効にブレーキ真空補助ポンプの真空度を向上し、ブレーキ効率を安定させることを特徴とするものとする。
【０００５】
本発明はまた一種の遠赤外線エネルギーを具えたエアフィルタのフィルタコアを提供することを課題とし、それは、内燃機の燃焼効率を向上でき、エンジン室内の気密度を良好となし、入気ベンチュリー管から動力ブレーキの真空補助ポンプの真空度を高め、真空補助ポンプ内と外界の大気圧の圧力差を増加し、制動効果をより安定させ、良好となし、運転の安全性を高めることができるものとする。
【０００６】
【課題を解決するための手段】
請求項１の発明は、遠赤外線エネルギーを具えたエアフィルタのフィルタコアにおいて、遠赤外線発射率が８０％以上の遠赤外線発射物質を、１〜５０％の適宜成分比率を以て、エアフィルタのフィルタコアを製造するベース材料中に混合し、加工して基材となし、さらに基材を各種内燃機の設計要求に応じて加工、成形して各種の形状、厚さを有するエアフィルタのフィルタコアとなし、各種内燃機のエアフィルタの使用に供し、
前記遠赤外線エネルギーを具えたエアフィルタのフィルタコアが、湿度を有する空気中の水分子を細微化して酸素を含む分子の自由度を増加し、混合気体中におけるオイルガスと空気の接触表面積を増大し、酸素を含む分子が容易にオイルガスと均一に混合されるようにすることにより、内燃機の原設計の混合比率を達成し、エンジンの完全燃焼を補助し、ブレーキ真空補助ポンプの真空度を高め、制動を安定、均一として運転の安全性を高めることを特徴とする、遠赤外線エネルギーを具えたエアフィルタのフィルタコアとしている。
請求項２の発明は、前記基材中の遠赤外線発射物質の混合比率を２〜３０％としたことを特徴とする、請求項１に記載の遠赤外線エネルギーを具えたエアフィルタのフィルタコアとしている。
請求項３の発明は、前記遠赤外線発射物質を、酸化アルミニウム（Ａｌ2 Ｏ3 ）、酸化ジルコニウム（ＺｒＯ2 ）、酸化錫（ＳｎＯ2 ）、酸化チタン（ＴｉＯ2 ）、酸化コバルト（ＣｏＯ）、酸化鉄（Ｆｅ2 Ｏ3 ）、炭化けい素（ＳｉＣ）を、１：１：１：１：１：１：１の比で混合し、並びに焼結し、研磨して形成することを特徴とする、請求項１に記載の遠赤外線エネルギーを具えたエアフィルタのフィルタコアとしている。
請求項４の発明は、前記遠赤外線発射物質を、酸化アルミニウム（Ａｌ2 Ｏ3 ）、酸化ジルコニウム（ＺｒＯ2 ）、酸化錫（ＳｎＯ2 ）、酸化チタン（ＴｉＯ2 ）、酸化コバルト（ＣｏＯ）、酸化鉄（Ｆｅ2 Ｏ3 ）、炭化けい素（ＳｉＣ）を、３：３：３：１：１：２：２の比率で混合し、並びに焼結し、研磨して形成することを特徴とする、請求項１に記載の遠赤外線エネルギーを具えたエアフィルタのフィルタコアとしている。
請求項５の発明は、前記基材中の遠赤外線発射物質の粒度を０．０１〜３０ミクロンとすることを特徴とする、請求項１に記載の遠赤外線エネルギーを具えたエアフィルタのフィルタコアとしている。
請求項６の発明は、前記基材中のベース材料の材質を紙パルプとすることを特徴とする、請求項１に記載の遠赤外線エネルギーを具えたエアフィルタのフィルタコアとしている。
請求項７の発明は、前記基材中のベース材料を単一高分子材料とすることを特徴とする、請求項１に記載の遠赤外線エネルギーを具えたエアフィルタのフィルタコアとしている。
請求項８の発明は、前記基材中のベース材料を組成する単一高分子材料を、ポリエチレンとしたことを特徴とする、請求項１乃至請求項７のいずれかに記載の遠赤外線エネルギーを具えたエアフィルタのフィルタコアとしている。
請求項９の発明は、前記基材中のベース材料を組成する単一高分子材料を、ポリプロピレンとしたことを特徴とする、請求項１乃至請求項７のいずれかに記載の遠赤外線エネルギーを具えたエアフィルタのフィルタコアとしている。
請求項１０の発明は、前記基材中のベース材料を組成する単一高分子材料を、ポリウレタンとしたことを特徴とする、請求項１乃至請求項７のいずれかに記載の遠赤外線エネルギーを具えたエアフィルタのフィルタコアとしている。
請求項１１の発明は、前記基材中のベース材料を組成する単一高分子材料を、ナイロンとしたことを特徴とする、請求項１乃至請求項７のいずれかに記載の遠赤外線エネルギーを具えたエアフィルタのフィルタコアとしている。
請求項１２の発明は、前記基材中のベース材料を複合高分子材料とすることを特徴とする、請求項１に記載の遠赤外線エネルギーを具えたエアフィルタのフィルタコアとしている。  
【０００７】
【発明の実施の形態】
本発明の遠赤外線エネルギーを具えたエアフィルタのフィルタコアは、高遠赤外線発射率を有する粉末状遠赤外線発射物質を具え、該遠赤外線発射物質が、適宜粒度及び比率を以て、内燃機のエアフィルタのフィルタコアのベース材料中に混合されて、エアフィルタのフィルタコアを形成し、さらに異なる種類のエアフィルタの設計により、各種形式のエアフィルタのフィルタコアに加工され、各種内燃機の使用に供される。エアフィルタのフィルタコア中に含まれる遠赤外線発射物質の発射する遠赤外線により、内燃機に進入して燃焼に使用される空気中に含まれる水分子クラスタを細微化し、分子自由度を増加し、混合気体中のオイルガスと空気の接触の表面積を増大し、酸素含有分子をオイルガスとより均一に混合せしめ、原設計上の最良の混合比を達成し、燃焼を補助し、排気ガスの排出を減らし、原設計の馬力を獲得できるようにし、エンジン室の積炭を防止し並びに機械部品の寿命を延長し、且つ有効にブレーキ真空補助ポンプの真空度を向上し、ブレーキ効率を安定させることを特徴としている。
【０００８】
【実施例】
図１は本発明の一つの好ましい実施例の分解斜視図であり、Ａ部分にその部分拡大図が示されている。本発明の遠赤外線エネルギーを具えたエアフィルタのフィルタコア１は、粉末状添加物を具えた基材１１を具え、それは研磨により形成された遠赤外線発射物質１１１と、紙パルプ或いは高分子材料で組成されたベース材料１１２を、内燃機の設計要求に合わせて加工成形してなり、並びに適宜形状の外ケース２を組み合わせて使用される。そのうち、基材１１は、酸化アルミニウム（Ａｌ2 Ｏ3 ）、酸化ジルコニウム（ＺｒＯ2 ）、酸化錫（ＳｎＯ2 ）、酸化チタン（ＴｉＯ2 ）、酸化コバルト（ＣｏＯ）、酸化鉄（Ｆｅ2 Ｏ3 ）、炭化けい素（ＳｉＣ）を、１：１：１：１：１：１：１或いは３：３：３：１：１：２：２の比率で混合し、並びに焼結し、研磨して粒度が０．０１〜３０ミクロンの粉末状となし、発射率が８０％以上の高遠赤外線発射物質１１１となし、並びに適宜成分比率（１〜５０％、そのうち２〜３０％が最も好ましい）で、紙パルプ或いは高分子材料、例えばポリエチレン、ポリプロピレン、ポリウレタン、ナイロンの単独成分或いは複合成分で組成したベース材料１１２中に混合し、加工して形成される。相対湿度を含有する空気中に含まれる水分子クラスタはエアフィルタのフィルタコア内に含まれる遠赤外線発射物質の作用を受けて、水分子が共振を発生し、これにより水分子が細微化し、分子自由度が増加し、これにより混合気体中でのオイルガスと空気の接触表面積が増大し、これにより酸素を含む分子がさらにオイルガスと均一に混合され、原設計の最良の混合比率を達成し、内燃機の燃焼を補助して燃焼を更に完全とし、有効に排気ガスの排出を減らし、内燃機の原設計の馬力を獲得し、並びにエンジン室の積炭を防止して機械部品の寿命を延長する。
【０００９】
図２は本発明のもう一つの好ましい実施例の分解斜視図である。図より分かるように、本発明の遠赤外線エネルギーを具えたエアフィルタのフィルタコアは、その基材１１が各種の異なる形式の内燃機の設計要求に応じて、各種形状、厚さに加工され、遠赤外線エネルギーを具えたエアフィルタのフィルタコア１ａに製作され、これにより異なる形式の内燃機の必要、使用に供される。
【００１０】
図３は本発明のブレーキシステムへの作用を示す簡略構造表示図である。図より分かるように、本発明の遠赤外線エネルギーを具えたエアフィルタのフィルタコアは、エンジン室Ａ内の燃焼効率を向上して、積炭を防止し、エンジン室Ａの気密度、真空度を増加し、入気ベンチュリー管Ｂを介して真空補助ポンプＣ内の真空度を高める。制動時には、真空補助ポンプＣのブレーキポンプＤに対する作用力が均一で安定し、これによりブレーキポンプＤがブレーキオイルを安定してブレーキオイル配分器に送り、均一の前輪ブレーキシステムＥと後輪ブレーキシステムＦに分布進入させて、ブレーキシステムが設計比により安定して受圧し、前輪と後輪の原設計の７：３或いは６、４の平衡性制動が行えるようにし、有効に制動時の車頭の下沈前傾、後尾の横ゆれ、横滑りの現象の発生を防止し、並びに制動距離を短縮し、運転の安全を確保できるようにする。
【００１１】
【発明の効果】
総合すると、本発明の遠赤外線エネルギーを具えたエアフィルタのフィルタコアは、内燃機に運用されて、確実に、燃焼をさらに完全とし、廃棄ガスの排出を減らし、原設計の馬力を回復し、エンジン室の積炭を防止して機械部品の使用寿命を延長し、並びに制動効果を更に平穏、良好として運転の安全性を向上する効果を提供し、このような効果は確実に従来の技術における、僅かに空気中に相当に粗い塵や不純物を濾過し及び空気の乱流を滑らかな気流となす機能しかないという欠点を改善するものであり、本発明は特に、進入する空気の性質を改善する効果を有し、新規性、進歩性及び産業上の利用価値を有している。
【図面の簡単な説明】
【図１】本発明の望ましい一つの実施例の分解斜視図である。
【図２】本発明の望ましいもう一つの実施例の分解斜視図である。
【図３】本発明のブレーキシステムへの作用を示す簡略構造表示図である。
【符号の説明】
１、１ａ  エアフィルタのフィルタコア
１１  基材
１１１  遠赤外線発射物質
１１２  ベース材料
２、２ａ  外ケース
Ａ  エンジン室
Ｂ  入気ベンチュリー管
Ｃ  真空補助ポンプ
Ｄ  ブレーキポンプ
Ｅ  前輪ブレーキシステム
Ｆ  後輪ブレーキシステム
【図１】
0003686339.tif 000002
【図２】
0003686339.tif 000003
【図３】
0003686339.tif 000004